(57)【要約】  複数の通信デバイスの試験を開始するためのシステム及び方法。試験機及び被試験デバイス（ＤＵＴ）が、ＤＵＴの部分における試験準備完了を確認する方法として先に同期され、その後、試験機によって試験シーケンスが開始される。同期及び試験開始は、異なる信号振幅又はデバイス識別子を備える信号を使用して達成され得る。試験シーケンスは、各ＤＵＴが、１つ以上の既定の試験シーケンスに従ってデータパケットを送信する、ＤＵＴ送信信号試験であり得る。試験シーケンスは、試験機が、異なる信号周波数、又は信号振幅で、ＤＵＴにデータパケットを送信する、ＤＵＴ受信信号試験であり得る。
2015524179.tif 000002
【特許請求の範囲】
【請求項１】
複数の通信デバイスの試験を開始する方法であって、
試験機により、複数の同期開始メッセージを送信する工程と、
前記試験機により、１つ以上の同期確認メッセージをリッスンする工程と、
前記試験機が、前記複数の同期開始メッセージと対応する複数の同期確認メッセージを受信しなかった場合、
前記試験機により、前記複数の同期開始メッセージを再び送信し、
前記試験機により、１つ以上の同期確認メッセージを再びリッスンし、
前記再び送信する工程及び前記再びリッスンする工程を、前記試験機が、前記複数の同期開始メッセージと対応する複数の同期確認メッセージを有するまで繰り返す、工程と、
前記試験機が前記対応する複数の同期確認メッセージを受信した後に、前記試験機により、複数の試験開始メッセージを送信する工程と、
前記試験機により、１つ以上の試験確認メッセージをリッスンする工程とを含む、方法。
【請求項２】
前記複数の同期開始メッセージは、第１信号振幅、及び第１デバイス識別子を含む、第１の複数の信号特性を有し、
前記複数の試験開始メッセージは、第２信号振幅、及び第２デバイス識別子を含む、第２の複数の信号特性を有し、
前記第２の複数の信号特性の少なくとも１つが、前記第１の複数の信号特性の対応する１つとは異なる、請求項１に記載の方法。
【請求項３】
前記第１及び第２デバイス識別子が、第１及び第２のメディアアクセス制御（ＭＡＣ）アドレスを含む、請求項２に記載の方法。
【請求項４】
１つ以上の既定の試験シーケンスに従い、前記試験機により複数のデータパケットを受信する工程を更に含む、請求項１に記載の方法。
【請求項５】
前記試験機により、複数のデータパケットを送信する工程を更に含み、
前記複数のデータパケットの第１部分が、第１信号周波数及び第１信号振幅を含む、第１の複数の信号特性を有し、
前記複数のデータパケットの第２部分が、第２信号周波数、及び第２信号振幅を含む、第２の複数の信号特性を有し、
前記第２の複数の信号特性の少なくとも１つが、前記第１の複数の信号特性の対応する１つとは異なる、請求項１に記載の方法。
【請求項６】
前記試験機により、前記複数の通信デバイスの１つからの同期確認メッセージを受信した後、かつ前記試験機により前記複数の試験開始メッセージを送信する前に、前記試験機により、前記複数の同期開始メッセージの１つ以上の以降のものを、前記複数の同期開始メッセージの前記１つ以上の以降のものが、前記複数の通信デバイスの前記１つによって認識され得ないように、送信する工程を更に含む、請求項１に記載の方法。
【請求項７】
前記試験機により、前記複数の同期開始メッセージの１つ以上の以降のものを、前記複数の同期開始メッセージの前記１つ以上の以降のものが、前記複数の通信デバイスの前記１つによって認識され得ないように、送信する工程が、前記複数の同期開始メッセージの１つ以上の以降のものを、より低い信号振幅で送信する工程を含む、請求項６に記載の方法。
【請求項８】
複数の通信デバイスの試験を開始する方法であって、
複数の被試験デバイス（ＤＵＴ）により、複数の同期開始メッセージをリッスンする工程と、
前記複数の同期開始メッセージの１つを受信する、前記複数のＤＵＴの１つ１つにより、前記複数の同期開始メッセージの前記１つと対応する複数の同期確認メッセージの対応する１つを送信する工程と、
前記複数のＤＵＴの１つ以上が、前記複数の同期開始メッセージの１つを受信しない場合、前記複数のＤＵＴの前記１つ以上の少なくとも１つ１つで、前記複数の同期開始メッセージの少なくとも一部を再びリッスンする工程と、
前記複数のＤＵＴの前記１つ以上の１つ１つで、前記複数の同期開始メッセージの前記少なくとも一部の少なくとも１つを受信した後、前記複数のＤＵＴの前記１つ以上の１つ１つで、前記複数の同期開始メッセージの前記少なくとも一部と対応する、前記複数の同期確認メッセージの少なくとも一部の対応する１つを送信する工程と、
前記複数のＤＵＴにより、複数の試験開始メッセージをリッスンする工程と、
前記複数の試験開始メッセージの１つを受信した、前記複数のＤＵＴの１つ１つにより、複数の試験確認メッセージの１つ１つを送信する工程とを含む、方法。
【請求項９】
前記複数の同期開始メッセージは、第１信号振幅、及び第１デバイス識別子を含む、第１の複数の信号特性を有し、
前記複数の試験開始メッセージは、第２信号振幅、及び第２デバイス識別子を含む、第２の複数の信号特性を有し、
前記第２の複数の信号特性の少なくとも１つが、前記第１の複数の信号特性の対応する１つとは異なる、請求項８に記載の方法。
【請求項１０】
前記第１及び第２デバイス識別子が、第１及び第２のメディアアクセス制御（ＭＡＣ）アドレスを含む、請求項９に記載の方法。
【請求項１１】
１つ以上の既定の試験シーケンスに従い、前記複数のＤＵＴで複数のデータパケットを送信する工程を更に含む、請求項８に記載の方法。
【請求項１２】
前記試験機により、複数のデータパケットを送信する工程を更に含み、
前記複数のデータパケットの第１部分が、第１信号周波数及び第１信号振幅を含む、第１の複数の信号特性を有し、
前記複数のデータパケットの第２部分が、第２信号周波数、及び第２信号振幅を含む、第２の複数の信号特性を有し、
前記第２の複数の信号特性の少なくとも１つが、前記第１の複数の信号特性の対応する１つとは異なる、請求項８に記載の方法。
【請求項１３】
前記複数のＤＵＴの１つにより、前記複数の同期確認メッセージの１つ１つを送信した後、かつ前記複数のＤＵＴの前記１つにより、前記複数の試験開始メッセージの１つを受信する前に、更に前記複数のＤＵＴの前記１つにより、前記複数の同期開始メッセージの別のものを受信しない工程を更に含む、請求項８に記載の方法。
【発明の詳細な説明】
【技術分野】
【０００１】
本発明は、概して、電子機器を試験するためのシステム及び方法に関する。より詳細には、本発明は、ハードウェア構成要素、ファームウェア構成要素、及び／又はソフトウェア構成要素からなる試験プラットフォームを使用して、無線信号送受信機を試験するための、システム及び方法の改善に関する。
【背景技術】
【０００２】
今日の携帯用デバイスの多くは、電話、デジタルデータ転送、地理的位置決め等に無線「接続」を利用している。周波数スペクトル、変調方法、及び電力スペクトル密度における差異にもかかわらず、無線接続性の規格は、同期させたデータパケットを使用してデータを伝送し、かつ受信する。一般的に、これらの無線機能は全て、これらの機能を有するデバイスが従わなくてはならない、パラメータ及び限界を指定する、業界で認可された規格（例えば、ＩＥＥＥ  ８０２．１１及び３ＧＰＰ  ＬＴＥ）によって画定される。
【０００３】
一連のデバイス開発に沿ったいずれかの時点において、デバイスがその規格の仕様内で動作するということを試験し、かつ検証する必要があり得る。そのようなデバイスの殆どは、送受信機であり、すなわち、無線ＲＦ信号を送受信するものである。このようなデバイスを試験するように設計された専用システムは、典型的には、その規格に従ってデバイスが無線信号を受信及び処理しているかどうかを判定するために、デバイスが送信する信号（例えば、ベクトル信号分析器、すなわちＶＳＡ）を受信及び分析し、業界に認定された規格に従う信号（例えば、ベクトル信号生成器、すなわちＶＳＧ）を送信するように設計された、サブシステムを含む。
【０００４】
従来的な手法には、１つの試験機を使用して複数のデバイスを同時に試験するシステム及び方法が含まれる。同じ期間内に複数のデバイスが試験されることから、これは、デバイス当たりの全体的な試験期間を低減することができる。
【０００５】
他の従来的な手法は、既定の試験シーケンスを含むデバイスを試験するためのシステム及び方法であって、デバイス及び試験機がこのような既定の試験シーケンスを実行することを可能にする一方で、最小の非試験制御相互作用を行うことを可能にする、システム及び方法を含む。これは、非試験制御通信に伴う時間量を低減することから、デバイス当たりの全体的な試験期間を低減することができる。
【発明の概要】
【発明が解決しようとする課題】
【０００６】
しかしながら、個別のデバイスの同期タイミングにおける誤差、及びこれによりもたらされる既定の試験シーケンスを協調的に実行する上での困難性により、このような手法は、既定の試験シーケンスを備えるデバイスを同時的に試験することができない。
【課題を解決するための手段】
【０００７】
複数の通信デバイスの試験を開始するためのシステム及び方法が提示される。試験機及び被試験デバイス（ＤＵＴ）が、ＤＵＴの部分における試験準備完了を確認する方法として先に同期され、その後、試験機によって試験シーケンスが開始される。同期及び試験開始は、異なる信号振幅又はデバイス識別子を有する信号を使用して達成され得る。試験シーケンスは、各ＤＵＴが、１つ以上の既定の試験シーケンスに従ってデータパケットを送信する、ＤＵＴ送信信号試験であり得る。あるいは、試験シーケンスは、試験機が、異なる信号周波数、又は信号振幅で、ＤＵＴにデータパケットを送信する、ＤＵＴ受信信号試験であり得る。
【図面の簡単な説明】
【０００８】
【図１】図１は、請求される本発明の一実施形態に従った、複数の通信デバイスを試験するための試験環境の機能的ブロック図である。
【図２】図２は、請求される本発明の一実施形態に従った、複数の通信デバイスを試験する方法のための信号タイミング関係を例示する。
【図３】図３は、請求される本発明の別の実施形態に従った、複数の通信デバイスを試験する方法のための信号タイミング関係を例示する。
【図４】図４は、図２及び図３の代表的な試験方法のための、電力レベルと、メディアアクセス制御（ＭＡＣ）アドレスとの間の可能な関係を例示する。
【図５】図５は、請求される本発明の別の実施形態に従った、複数の通信デバイスを試験する方法のための信号タイミング関係を例示する。
【発明を実施するための形態】
【０００９】
以下の「発明を実施するための形態」は、特許請求される本発明の（添付図面を参照とする）例示的実施形態のものである。そのような説明は、例示的なものであって、本発明の範囲に関して限定するものではない。そのような実施形態は、主題となる発明を当業者が実施することを可能にするために、十分詳細に説明されるものであり、主題となる発明の思想又は範囲から逸脱することなく、何らかの変型を使用して、他の実施形態を実施することができる点が理解されるであろう。
【００１０】
本発明の開示を通じて、内容から反対であるという明確な指示がなければ、説明するような個々の回路要素は、数において単数の場合もあれば複数の場合もあることが理解されるであろう。例えば「回路（circuit）」及び「回路（circuitry）」という用語は、説明される機能を提供するために能動的及び／又は受動的であり、かつ互いに接続されるか又は他の方法で結合されている単一の構成要素又は複数の構成要素のいずれかを含み得る。更には、「信号」という用語は、１つ以上の電流、１つ以上の電圧、又はデータ信号を指す場合がある。図面内では、同様又は関連する要素は、同様又は関連する英字、数字、若しくは英数字の指示子を有する。更には、本発明は、個別の電子回路機構（好ましくは、１つ以上の集積回路チップの形態）を使用する実装に関連して論じられているが、そのような回路機構のいかなる部分の機能も、処理される信号周波数又はデータ転送速度に応じて、適切にプログラムされた１つ以上のプロセッサを使用して、代替的に実装することができる。更に、図が様々な実施形態の機能ブロックの略図を例示する範囲において、機能ブロックはハードウェア回路間の境界を必ずしも示さない。したがって、例えば１つ以上の機能ブロック（例えばプロセッサ、メモリ等）は、単一片のハードウェア（例えば汎用の信号プロセッサ、ランダムアクセスメモリ、ハードディスクドライブ等）で実施され得る。同様に、記載される任意のプログラムはスタンドアローンプログラムであってもよく、オペレーティング・システムにサブルーチンとして組み込まれてもよく、インストールされたソフトウェアパッケージ等における機能であってもよい。
【００１１】
ＤＵＴごとの試験期間を低減しようとする試みは、２つ以上のＤＵＴを一緒に試験すること（すなわち、試験ハードウェアへの同時接続による）、並びに、各ＤＵＴに送信される信号及びここから受信される信号を同時に、又は少なくとも実質的に同時に試験することを伴う。結果として、各ＤＵＴの試験期間が増加しても、そのような増加するであろう試験期間において、複数のＤＵＴが試験されるために、ＤＵＴごとの試験期間はそれでも低減される。（下記の実施例の目的のため、試験環境は４つのＤＵＴを含む。しかしながら、記載される原理及び技術は、２つ以上のＤＵＴの試験に応用することができ、４つというのは一例にすぎないことが容易に理解される）
【００１２】
ここで図１を参照し、請求される本発明の様々な実施形態に従った試験を行う試験環境１００は、試験機１０２の形態の試験機、スイッチ（当該技術分野において既知であるように、共に機能するように制御される複数のスイッチ、又は信号減衰器）などの信号配信デバイス１０４、及び複数のＤＵＴ  １０８ａ〜ｄを含む。試験機１０２は典型的には、少なくとも１つのベクトル信号生成器（ＶＳＧ）１０２ｇ、及び少なくとも１つのベクトル信号分析器（ＶＳＡ）１０２ａを含む。加えて、スイッチ１０４は、試験機１０２の外側にあるか、又はその一部として含まれ得る。コントローラー１０６（例えば、パーソナルコンピュータ（ＰＣ））もまた含まれる。コントローラーは、対応する通信パス１０７ａ、１０７ｂ、１１１ａ〜ｄを通じて、試験機１０２と通信し、かつまたスイッチ１０４及びＤＵＴ  １０８と通信してもよく（以下でより詳細に記載される）、これらのパスを通じて、試験機１０２、スイッチ１０４、及びＤＵＴ  １０８に制御信号が送信され、またここからデータが受信される。試験機１０２からスイッチ１０４に制御信号を伝達するために、試験機１０２とスイッチ１０４との間に、代替的な、又は追加的な通信パス１０５が含まれてもよい。
【００１３】
ＤＵＴ  １０８の初期化の後、試験機１０２は、ＶＳＧ  １０２ｇから、通信通路１０３ｇを通じてスイッチ１０４、及び対応する通信パス１０９ａ〜ｄからＤＴＵ  １０８へと試験パケットを送信する。容易に理解されるように、ＶＳＧ  １０２ｇからの試験パケットは、各ＤＵＴ  １０８への同時送信のために、スイッチ１０４により複製される。これは、各ＤＵＴ  １０８内における受信機の受信試験（ＲＸ）を可能にする。コントローラー１０６は、その制御通信パス１１１を通じて、ＤＵＴ  １０８を初期化して、所望の受信試験を実行する設定を行うための、適切な制御信号を送信する。
【００１４】
逆に、ＤＵＴ送信試験（ＴＸ）は、ＤＵＴ  １０８により、通信パス１０９を介してスイッチ１０４に信号を送信することによっても行うことができ、これは、制御信号１０５、１０７ｂによって、各信号を、送信信号１０３ａとして、試験機１０２内のＶＳＡ  １０２ａに選択的に送信する（例えば、多重方式）。このような送信試験は典型的には、特定の周波数及び電力レベルのデータパケットのＤＵＴ  １０８による送信を含む。ＤＵＴ  １０８を同時に初期化し、その対応するデータパケットを同時に送信することにより、ＤＵＴ  １０８の設定時間は実質的に同じである。しかしながら、初期化を含む全体的な試験期間は、同じ数のＤＵＴ  １０８が逐次的に初期化及び試験される場合よりも短くなり、よって試験効率が向上する。上記のように、コントローラー１０６は、ＤＵＴ  １０８を初期化して、送信周波数及び電力レベルを規定するための制御信号１１１をもたらす。
【００１５】
各ＤＵＴ  １０８が、ＤＵＴ  １０８内に対応する既定の試験シーケンス１１０ａ〜ｄを含む場合、コントローラー１０６とＤＵＴ  １０８との間の通信１１１は、排除されるか、又は少なくとも実質的に低減される。保存された既定の試験シーケンス１１０に基づき、ＤＵＴ  １０８及び試験機１０２を同期した後（例えば、試験機１０２によりそのＶＳＧ  １０２ｇから同期開始信号を送信し、これに各ＤＵＴ  １０８が同期確認信号により応答する）、試験機１０２及びＤＵＴ  １０８は、既定の試験シーケンス１１０を実行することができる。このような既定の試験シーケンスは、試験機１０２から各ＤＵＴ  １０８、又は各ＤＵＴ  １０８から試験機１０２へと、特定の周波数及び／又は電力レベルで、一連のデータパケットを送信することを含み得る。試験シーケンスが既定され、保存されると、コントローラー１０６とＤＵＴ  １０８との間に必要な相互作用が（あるとしても）最小となり、よって非試験制御通信が低減され、これに対応して試験効率が増加する。
【００１６】
試験機１０２から、予め決定された数のデータパケットを有する既定の試験シーケンスを有するＤＵＴ  １０８へと送信が行われると（例えば、ＲＸ試験）、ＤＵＴ  １０８が試験が完了するときを「知る」こととなる。試験機１０２は、ＤＵＴ  １０８がこの既定数のデータパケットを受信するまでデータパケットを送信し続ける。あるいは、ＤＵＴ  １０８は、既定の時間間隔にわたって、データパケットを受信し得る。
【００１７】
しかしながら、各ＤＵＴ  １０８に必要な同期時間は異なる傾向にあり、いくつかの場合において、タイミングの問題を呈するほどに異なる場合がある。例えば、１つのＤＵＴ  １０８ａが、他のものの前に同期を達成し、その既定されたＴＸ試験シーケンスを送信し始めるとき、試験機１０２と、他のＤＵＴ  １０８ｂ〜ｄとの間の同期交換が中断され得る。同様に、ＲＸ試験シーケンスにおいて、１つのＤＵＴ  １０８ａが同期されて、他のＤＵＴ  １０８ｂ〜ｄの前に試験パケットを受信できる状態にある場合、試験機１０２により送信された同時的なデータパケットの調整された受信を中断することがある。したがって、試験シーケンス１１０が内部で使用されるＤＵＴ  １０８（例えば、各ＤＵＴ  １０８内に保存される）を試験するとき、既定された試験シーケンス１１０の実行を始める前に全てのＤＵＴ  １０８が同期されて、準備完了していることを確かめることが重要である。そうでなければ、いくつかのＤＵＴ  １０８が、準備完了する前にデータパケットを受信し（例えば、復調、処理など）、不正確なパケット誤り率（ＰＥＲ）測定値を生じることがある。
【００１８】
図２を参照し、請求される本発明の代表的な実施形態により、既定されたＴＸ試験シーケンス１１０を実行する前に全てのＤＵＴ  １０８（図１）が同期され、ここでＤＵＴ  １０８が既定の一連のパケットデータ信号をスイッチ１０４へと本質的に同時に送信し始め、これはひいては試験機１０２が各ＤＵＴ  １０８により同定されるデータパケットを受信する。この同期試験は、二部分で構成される。まず、全てのＤＵＴ  １０８の同期が初期化され、次に、試験シーケンス１１０が初期化される。
【００１９】
図２を参照し、請求される本発明の一実施形態に従って、試験機１０２は、同期間隔２０１の間、データパケット２１１を、ＤＵＴ  １０８へと実質的に同時に送信する。この例において、第１  ＤＵＴ  １０８ａは、これが準備完了であること（例えば、同期に関し）を示す、同期確認パケット２２１ａを返送する（戻す）。しかしながら、残りのＤＵＴ  １０８ｂ、１０８ｃ、１０８ｄは、（例えば、これらの同期パケット２１１ｂ、２１１ｃ、２１１ｄを受信しなかったため）対応する確認パケットを返送しない。次の間隔２０２の間、試験機１０２はまた、ＤＵＴ  １０８に同期パケット２１２を送信する。このとき、第２  ＤＵＴ  １０８ｂ、及び第４  ＤＵＴ  １０８ｄは、このような同期確認パケット２２２ａ、２２２ｄを返送して、準備完了であることを示す。次の間隔２０３において、同期パケット２１３が再び送信されて、今度は第３  ＤＵＴ  １０８ｃが、返送確認パケット２２３ｃにより準備完了であることを確認する。
【００２０】
全てのＤＵＴ  １０８が同期を確認したため、試験機１０２が、間隔２０４の間に、異なるメディアアクセス制御（ＭＡＣ）アドレスを有する、第２セットの同期パケット２１４の形態の、試験開始メッセージを送信し、全ての４つのＤＵＴ  １０８が、確認パケット２２４を返送することによって同期を確認する。この間隔２０４において、上記のように、異なるＭＡＣアドレスが使用されて、同期データパケット２１４の電力レベルが、パケット２１４がＤＵＴ  １０８により常に受信されることを確実にするために十分に高く設定される。間隔２０４における第２同期確認の後、試験機１０２及びＤＵＴ  １０８は、既定されたＴＸ試験の実行を開始し、ここでＤＵＴ  １０８がそれぞれ、同様（例えば、実質的に同一）の周波数及び／又は電力レベルの一連のデータパケット２０５を送信する。データパケットの４つのセット２０５ａ〜ｄが、完全な時間同期が可能でない場合があることを示すために、時間的に相互にずらされるものとして示される。スイッチ１０４（図１）は、シーケンスがＤＵＴ  ＴＸデータパケット２０６の次のセットへと移る前に、各ＤＵＴ  １０８から１つのパケットを選択する。前と同じように、４つのデータパケットの４つのセットが送信される。既定された試験シーケンス１１０が、ＤＵＴ  １０８のＴＸ物理層性能を試験するための、標準的な既定された試験基準に従って、特定の周波数及び電力レベルのＴＸデータパケットのセットを送信し続ける。（容易に理解されるように、ＤＵＴ送信機による設定を可能にするために必要とされる追加的なパケットは図示されないが使用されてもよい）更に、データパケット２０５、２０６の捕捉は、１つの個別のデータパケットの捕捉よりも長くかかるが、全てのＤＵＴが同期されて試験に備えるために必要な時間（例えば、送信機が適切に設定される）は、共通であり、したがって、試験効率の全体的な改善をもたらす。
【００２１】
図３を参照し、別の代表的な実施形態により、全てのＤＵＴ  １０８が、既定された試験シーケンスを実行する前に同期され、ＤＵＴ  １０８は実質的に同時に、既定された一連の信号をスイッチ１０４へと送信し始め、これはひいては、試験機１０２が、各ＤＵＴ  １０８により同定される試験データパケットを受信することを可能にする。前の実施例におけるように、初期同期間隔２０１、２０２、２０３の間、試験機１０２は、同期パケット２１１、２１２、２１３を送信し、これに対して様々な対応するＤＵＴ  １０８が、確認パケット２２１、２２２、２２３で応答する。しかしながら、この実施例において、ＤＵＴ  １０８から確認応答を受信した後、試験機１０２は、同じＤＵＴ  １０８に同期パケットを依然として送信しながら、より低い電力レベルでこれを行う。例えば、第１間隔２０１において、第１  ＤＵＴ  １１０ａは、確認パケット２２１ａにより、その同期パケット２１１ａに応答した。したがって、次の間隔２０２の間、試験機１０２により送信され、第１  ＤＵＴ  １１０ａにより受信される同期パケット２１２ａの電力は、ＤＵＴ  １１０ａがこのようなパケット２１２ａを受信及び認識しないレベルまで、低下する。その一方で、前に非反応であったＤＵＴ  １１０ｂ、１１０ｃ、１１０ｄにより受信するために、送信されたパケット２１２ｂ、２１２ｃ、２１２ｄは、もとのより高い電力レベルで送信される。また前と同じように、第２  ＤＵＴ  １１０ｂ及び第４  ＤＵＴ  １１０ｄからの確認パケット２２２ａ、２２２ｄの受信の後、次の間隔２０３において試験機１０２によって送信される確認パケット２１３ｂ、２１３ｄの電力が低下する。
【００２２】
４つのＤＵＴ  １０８ａ〜ｄから確認パケット２１１ａ、２２２ａ、２２２ｄ、２２３ｃを受信した後、試験機１０２は試験開始メッセージを、間隔２０４の間に、更なる同期パケット２１４ａ〜ｄの形態で、このようなパケット２１４がＤＵＴ  １０８により受信及び認識されるために十分な電力レベルで送信する。しかしながら、この実施例において、ＭＡＣアドレスは、同期パケット２１４のこのセットに関して同じままである。以前の反復的な確認パケット２１２ａ、２１３ａ、２１３ｂ、２１３ｄはより低い電力レベルで送信されていたため、このような前の同期パケットと、試験開始間隔２０４における以降の試験開始パケット２１４との混乱の可能性が回避され得る。換言すると、試験開始パケット２１４は、その内容を認識される（すなわち、同期が確立されてから試験を開始する）。この後、既定された試験シーケンス１１０に従って、送信データパケットシーケンス２０５、２０６が、ＤＵＴ  １０８により送信されて、試験機１０２により受信及び分析される。
【００２３】
図４を参照し、ＭＡＣアドレス、及び／又は同期パケット電力レベルを変える技術が組み合わされ得ることが認識されるべきである。例えば、図２の実施例において、ＭＡＣアドレスが異なる一方で、電力レベルは同じままである（図４の左の図）。図３の実施例において、電力レベルが変化する一方で、ＭＡＣアドレスは同じままである（図４の中央の図）。しかしながら、請求される本発明に従い、電力及びＭＡＣアドレスは両方とも、所望により変化し得る（図４の右の図）。
【００２４】
更に、前の説明により、試験の制御が、試験機１０２及び／又はコントローラー１０６によって開始及び監視されることが理解されるべきである。個別のＤＵＴ  １０８は、同期及び試験開始メッセージに応答して、同期及び試験確認メッセージの既定のシーケンスをそれぞれ送信し、その後、所定のデータパケット信号特性を有する試験データパケットのシーケンスを送信する（例えば、信号周波数、信号振幅、ビットレート、変調種類など）ように予めプログラミングすることのみを必要とする。
【００２５】
図５を参照し、別の代表的な実施形態により、試験機１０２は、すべてのＤＵＴ  １０８が、確認パケット３２１ａ、３２１ｃ、３２２ａ、３２２ｂ、３２２ｃ、３２３ａ、３２３ｂ、３２３ｃ、３２３ｄにより、これらが準備完了であることを確認するまで、各時間間隔３０１、３０２、３０３において、同期パケット３１１、３１２、３１３を送信することにより、全てのＤＵＴ  １０８が、既定された試験シーケンス１１０に従ってデータパケットのＲＸ試験シーケンスを受信する準備ができていることを確実にする。これらの確認パケット３２１、３２２、３２３を受信した後、試験機１０２は、次の間隔３０４、３０５、３０６、３０７、３０８の間において、既定の周波数及び電力レベルにおいて、既定数のＲＸ試験パケット３１４、３１５、３１６、３１７、３１８の送信を開始する。既知の原理により、パケット誤り率（ＰＥＲ）は、送信されたデータパケットのセット３１４、３１５、３１６、３１７、３１８に基いて計算され得る。試験機１０２が各試験パケットを送信した後、ＤＵＴ  １０８は（このような試験パケットを受信した場合）、対応する肯定応答パケット３２４、３２５、３２６、３２７、３２８を送信する。試験機１０２及びＤＵＴ  １０８（既定の試験シーケンス１１０に従い）は、送信された肯定応答パケット３２４、３２５、３２６、３２７、３２８の数を把握する一方で、試験機１０２は、適切な無線信号基準において特定される周波数及び電力レベル範囲において、既定数のパケットを送信する。
【００２６】
一度、試験機１０２は既定の数の試験パケットを送信すると、１つ以上の異なる周波数、及び／又は信号電力レベルを有する、異なるシーケンスの試験パケット３１９、３３０、３３１、３３２、３３３を送信し始める。前と同じように、試験機１０２、及びＤＵＴ  １０８は、ＤＵＴ  １０８が応答して送信した、肯定応答パケット３２９、３４０、３４１、３４２、３４３の数を把握する。これの後、試験機１０２は、１つ以上の異なる電力レベルにおいて、及び／又は１つ以上の異なる変調種類を使用して、別の既定数の試験パケット３３４、３３５、３３６を送信する。
【００２７】
これらの、全ての既定数のデータパケットのシーケンスが試験機１０２によって送信されたとき、試験機１０２は、以降の間隔３１４、３１５、３１６において、「キャッチアップ」シーケンスを開始し、この間に前の既定数のデータパケットの受信を肯定承認していない、特定のＤＵＴ  １０８に特定の電力レベルで一定数のデータパケットが送信される。試験機１０２は、各ＤＵＴ  １０８のパケット誤り率を判定するために、各ＤＵＴ  １０８に送信されたこれらの追加的なパケット３３４、３３５、３３６を把握する。
【００２８】
上記に基づき、ＴＸデータパケットの既定のシーケンスの実行の前に、試験を開始するために第２同期イベントをもたらし、ＲＸデータパケットの既定のシーケンス１１０の実行の前に、全てのＤＵＴ  １０８が同期を確認する（又は他のなんらかの形で準備完了を示す）まで、一定数のデータパケットが送信されることにより、同期データパケット応答の相対的なタイミングに差があっても、複数のＤＵＴ  １０８が、保存された既定の試験シーケンス１１０を使用して試験され得ることが確実になることが、理解されるべきである。
【００２９】
本発明の範囲及び趣旨から逸脱することなく、本発明の構造及び動作方法の様々な他の修正及び変更を行えることが当業者に明らかであろう。本発明は、特定の好ましい実施形態に関連して説明したが、特許請求の範囲に示す本発明は、このような特定的な実施形態に不当に限定されるべきではないことを理解すべきである。以下の「特許請求の範囲」が本発明の範囲を規定し、かつこれらの請求項及びその均等物の範囲内の構造及び方法がそれによって包含されることを意図している。
【図１】
2015524179.tif 000003
【図２】
2015524179.tif 000004
【図３】
2015524179.tif 000005
【図４】
2015524179.tif 000006
【図５】
2015524179.tif 000007
【国際調査報告】
2015524179.tif 000008
2015524179.tif 000009